(57)【要約】【課題】ベルト端部をベルト装着部に係止させる場合にはワンタッチ式に可能であって、不用意に外れ難い装着構造を有する保冷箱を提供する。【解決手段】容器本体の対向する側面１０Ｓ１に設けたベルト装着部の少なくとも一方１２は、上下に開口する挿通孔１２Ｈを有すると共に、フック装置２０のフック２０Ｆを、ベルト延伸先側が係止部２０ＦＫである向きにしてベルト１６に取り付けており、前記ベルト装着部には、前記挿通孔の下端よりも高い位置であってベルト装着部の側面部１２Ｂに、挿通孔の挿通方向に交差する方向に沿って、ベルトの幅方向に沿った前記係止部２０ＦＫの形状に対応した係合孔１２ＫＨを設ける。【選択図】        図２
2004238031.tif 000002
【特許請求の範囲】
【請求項１】
容器本体の対向する側面に設けたベルト装着部の少なくとも一方は、上下に開口する挿通孔を有すると共に、フック装置のフックを、ベルト延伸先側が係止部である向きにしてベルトに取り付けており、前記ベルト装着部には、前記挿通孔の下端よりも高い位置であってベルト装着部の側面部に、挿通孔の挿通方向に交差する方向に沿って、ベルトの幅方向に沿った前記係止部の形状に対応した係合孔が設けてあることを特徴とする保冷箱。
【請求項２】
係止された状態におけるフックの、前記ベルト装着部の壁に対面する側に、凹部又は凸部が設けられており、該凹部か凸部に対応するベルト装着部の位置に、係合可能な凸部又は凹部を設けている請求項１記載の保冷箱。
【請求項３】
前記ベルト装着部は、前記挿通孔の外側方向に位置する壁部の下端部が傾斜状に形成されており、該傾斜状部の容器本体に近い端部と遠い端部の内の鋭角部である一方の端部を越えた位置で、ベルトが前記フック装置に取り付けられている請求項１又は２記載の保冷箱。
【請求項４】
ベルトは、前記係合孔の設けられているベルト装着部の、係合孔を有する壁の下端を越えた係合孔寄りの位置でフック装置に取り付けられ、ベルトを提げた運搬状態において、ベルトはその折り返し領域では前記壁の下端部のみを押圧しながら挿通孔の上方向に延伸する請求項１又は２記載の保冷箱。
【発明の詳細な説明】
【０００１】
【発明の属する技術分野】
本発明は、釣りその他のレジャー等において使用でき、人が運搬可能な大きさの保冷箱に関する。
【０００２】
【従来の技術】
上方に開口する箱状の容器本体と、該開口部に蓋をする蓋部材を有し、運搬用に、容器本体の対向する側面にベルト装着部を設け、該装着部にベルトを装着し、手で提げたり、或いは肩に掛けることができるように構成した、所謂、保冷箱が従来から使用されている。例えば、下記特許文献１には、ベルト端部をベルト装着部の爪部に摩擦で係止させる構造の保冷箱が開示されている。また、下記特許文献２には、ベルトの端部にベルト係止具を取り付け、一方、ベルト装着部には前記ベルト係止具を挿入可能であって、挿入後に方向を変えて係止できるベルト嵌合孔を設けた保冷箱が開示されている。一般に、ベルトは、使用目的や使用形態からして丈夫に、即ち、ベルト厚さを所定厚さにし、ベルト幅を所定の大きさにして耐久性を持たせるように形成している。
【特許文献１】
実開昭５７−３９７０号公報
【特許文献２】
特開２００１−３１５７９０号公報
【０００３】
【発明が解決しようとする課題】
文献１の構造では、爪部にベルト端部を係合させることに時間を要するため、簡便化が求められていた。これを改善した形態の１つといえる文献２では、ベルト係止具をベルト嵌合孔に挿入する際に、ベルト係止具近くのベルトを９０度捩る必要がある。上述の如く耐久性向上のため、ベルトは或る程度の剛性を持たせてあり、ベルト端部を９０度程度捩ることは大きな抵抗感を有し、高品質な製品を求める現在においては、着脱を行うことが面倒に感じられる。
【０００４】
依って本発明は、ベルト端部をベルト装着部に係止させる場合にはワンタッチ式に可能であって、不用意に外れ難い装着構造を有する保冷箱の提供を目的とする。
【０００５】
【課題を解決するための手段】
上記目的に鑑みて本発明は、容器本体の対向する側面に設けたベルト装着部の少なくとも一方は、上下に開口する挿通孔を有すると共に、フック装置のフックを、ベルト延伸先側が係止部である向きにしてベルトに取り付けており、前記ベルト装着部には、前記挿通孔の下端よりも高い位置であってベルト装着部の側面部に、前記挿通孔の挿通方向に交差する方向に沿って、ベルトの幅方向に沿った前記係止部の形状に対応した係合孔が設けてあることを特徴とする保冷箱を提供する。
【０００６】
上下に開口する挿通孔の上から、ベルトのフック装置側を挿通させてベルトを通す。このフック装置のフックはベルト延伸先側が係止部であり、ベルト装着部にはフックの幅方向に沿った係止部形状に対応した係合孔を、ベルト装着部の側面部に、挿通孔の挿通方向に交差する方向に沿って設けているため、ベルトを上方向に折り返すだけで、殆ど捩ることなくより高い位置にある係合孔に先部のフック係止部を係合させることができる。そうしてベルトを肩に掛ける等すれば、保冷箱の重さによってベルトに張力が掛かり、先部のフック係止部も係合孔の下縁を押圧するようにして係止する。ベルトを離しても、フック装置等の重さによって係止部は係合孔に係止したままとなる。
【０００７】
請求項２では、係止された状態におけるフックの、前記ベルト装着部の壁に対面する側に、凹部又は凸部が設けられており、該凹部か凸部に対応するベルト装着部の位置に、係合可能な凸部又は凹部を設けている請求項１記載の保冷箱を提供する。
フックの凹部か凸部が、対応するベルト装着部側の凸部か凹部に係合できるので、運搬中等の揺動に対して、フックがベルト装着部に対して揺れる等の相対挙動を防止できる。従って、それだけ不用意に外れ難くなる。
【０００８】
請求項３では、前記ベルト装着部は、前記挿通孔の外側方向に位置する壁部の下端部が傾斜状に形成されており、該傾斜状部の容器本体に近い端部と遠い端部の内の鋭角部である一方の端部を越えた位置で、ベルトが前記フック装置に取り付けられている請求項１又は２記載の保冷箱を提供する。
ベルトは鋭角部の前後に亘っているため、運搬中、傾斜状部の鋭角部によって押圧されることになる。このため、ベルトには鋭角部によって一種の引っ掛り現象が生じ、運搬による衝撃や揺動が生じた場合の瞬間的なベルトの緩みはフック装置を取り付けた側のベルトには及び難くなる。従って、不用意にフック係止部が係合孔から外れることを防止できる。
【０００９】
請求項４では、ベルトは、前記係合孔の設けられているベルト装着部の、係合孔を有する壁の下端を越えた係合孔寄りの位置でフック装置に取り付けられ、ベルトを提げた運搬状態において、ベルトはその折り返し領域では前記壁の下端部のみを押圧しながら挿通孔の上方向に延伸する請求項１又は２記載の保冷箱を提供する。
ベルトは、係合孔の設けられている壁の下端部の前後に亘っている構成であって、該下端部のみを押圧して上方に延伸しているため、この部位でのベルトの折れ曲りは急であり、請求項３における鋭角部に類似の効果を奏し、引っ掛りを生じ、不用意にフック係止部が係合孔から外れることを防止できる。
【００１０】
【発明の実施の形態】
以下、本発明を添付図面に示す実施形態例に基づき、更に詳細に説明する。
図１は本発明に係る保冷箱の例としての、釣りに使用するクーラーである。容器部１０は直方体状であり、容器本体の上部が開口部になっている。この開口部に蓋１０Ｕを被せて使用する。容器本体の対向する側面壁１０Ｓ１，１０Ｓ２の外側面にはベルト装着部１２が設けられている。この装着部にはショルダーベルト（以下、ベルト）１６の他、手提げ用のハンドル１４が装着されている。ハンドルは回動自在に装着されている。
【００１１】
図２は装着部１２付近の拡大図であり、図３は図１の矢視線Ｃ−Ｃによる拡大縦断面図である。側面壁１０Ｓ１と、該壁に対面する（概ね平行な）装着部側の第１壁１２Ａとの間には、上下方向に挿通した挿通孔１２Ｈが設けられている。該孔は側面壁１０Ｓ１の面に沿って幅広であり、側面壁と第１壁との離隔距離は幅狭である。本形態例では、第１壁の外側に離隔して、該第１壁もしくは側面壁１０Ｓ１と概ね平行な第２壁（側面部）１２Ｂが設けられており、両壁の下端部は第１壁側が低くなるように傾斜した傾斜壁１２Ｃによって連続している。ベルト１６の端部にはフック装置２０が取り付けられている。
【００１２】
上記挿通孔１２Ｈの上端開口部からフック装置を挿通させ、下端開口部から外に出してベルトを挿通させる。この例のフック装置２０は、係止部２０ＦＫを有するフック２０Ｆと、該フックの後端部に回動自在に取り付けられたバックル等の中間部材２０Ｇとを有している。ベルト端部１６Ｅはフック装置の係止部とは反対側端部である中間部材に対して回動可能に取り付けられている。該中間部材は、フック後端部に対して回動自在であるため、これにベルト端部を取り付けても、そのベルト端部の厚いベルト２重部が壁と干渉して、フックを後述の係合孔１２ＫＨから外すような力を作用させないために設けている。
【００１３】
一方、装着部の側面部である第２壁１２Ｂは、ベルトを捩ることなく係止できるように容器本体の側面と同様の方向（概ね平行）に設け、その所定位置には、フック係止部の係合できる係合孔１２ＫＨが左右方向に沿って設けられている。図２によって明白であるが、フック２０Ｆは、ベルトの延伸先側に係止部２０ＦＫが位置するように取り付けられている。また、フックはベルト延伸方向に沿った縦断面がＪの字形状をし、先部の係止部以外は平板であるが、平板には限らず、湾曲板等も可である。また、フック全体縦断面形状Ｊも係止部（Ｊの先部）形状も、ベルトの幅方向に沿って一定である。従って、この係止部を係合させる係合孔１２ＫＨの下縁を第２壁において、前記挿通孔１２Ｈの上下方向に対して直交する交差方向（左右方向）に沿って直線に形成することにより、フック係止部の前記ベルト幅方向全体を係合孔の下縁に当接できる。また、係合の際には、フック２０Ｆの係合部２０ＦＫはベルト１６を挿通孔１２Ｈに挿通した時、側面壁１０Ｓ１と対面するベルトの面とは反対面側に（突出するように）設けられており、挿通孔下端から引き出したフックを、ベルトを捩ることなく、単に上方に折り返すだけで、係合部ＦＫが係合孔１２ＫＨに向かい合った状態となり、そのまま移動させて係合孔に差し込むことで、ベルト装着部の側面部の第２壁１２Ｂの係合孔に係止させることができる。
【００１４】
この直線状の係合孔１２ＫＨによってフックとの係止を充分に行える。該係合孔の上下方向幅は、フック係止部２０ＦＫが孔内に挿入できる範囲でできるだけ狭くすることが、クーラー運搬中においてフックが不用意に外れることの防止に役立つが、係合孔の下縁以外の（上部や側部の縁）形状は任意である。しかし、係合孔の下縁も、例えば、凹凸や波状に形成されていても、それらの上端を連ねると直線状になっていればよい。フックの幅寸法以内の離隔距離に、２つの凸部が設けられていて、その凸部の上端を結ぶと左右方向であってもよい。フック係止部の形状に対応するとはこうした意味である。
【００１５】
その他、フックの縦断面寸法形状がベルト幅方向において変化する場合、例えば、該幅方向に沿って漸次長くなり、また、短くなる形状の場合、即ち、フック係止部形状が山形や円弧状に折れ曲ったりカーブしている場合は、係合孔の下縁ラインもこれに応じた山形や円弧状に形成する。
【００１６】
この形態例では、フック後端部を筒状に曲げ、これに中間部材２０Ｇを回動自在に取り付けている。フックを係止させた状態で、この筒状曲げ部２０ＦＭが対面している壁部、この場合は傾斜壁１２Ｃに、該曲げ部の対面部分（凸部）が収納される凹部１２ＣＫを形成している。これにより、クーラーの運搬中にガタついてフックが外れることを防止できる。また、傾斜壁１２Ｃ下端部と第１壁１２Ａ下端部との交差部１２ＡＣは鋭角状である。ベルト端部１６Ｅは中間部材の後端部に取り付けられているが、このベルト端部は前記鋭角交差部１２ＡＣの位置よりも係合孔に近く位置している。従って、ベルトを肩に掛けて運搬する際、ベルトは鋭角交差部によって強く押圧され、瞬間的に揺れてベルトが弛もうとしても、その弛みがフック側にまで及び難い。
【００１７】
傾斜壁は平面である必要は無く、曲面であってもよい。また、この例とは異なり、第１壁の下端よりも第２壁１２Ｂの下端の方が低く、上記例とは逆方向に傾斜した傾斜壁であってもよい。この場合、鋭角交差部は傾斜壁と第２壁下端部との交差部であるため、ベルト端部１６Ｅはこの交差部よりも係合孔寄りに位置する必要がある。
【００１８】
図４は他の形態例を示し、図３に対応した図である。第１形態例と異なる事項を説明する。フック装置２０’はフックそのものであり、第１形態例の中間部材をも兼ねた形状のへの字状に曲げられ、傾斜壁１２Ｃ方向にへの字に曲っているが、沿わせてはいない。即ち、フックを係合孔１２ＫＨに係止させた場合に、ベルト端部１６Ｅを取りつける部位であるフック後端部が傾斜壁から所定量離隔するように、への字の曲げ角度を設定している。これにより、ベルト端部を取り付けた場合に、ベルト端部の２重部厚さによって、フックを係合孔から外す力の作用することを防止している。
【００１９】
図５は、更に他の形態例であり、図３に対応する図である。第１形態例と異なる事項を説明する。第１壁は無く、挿通孔１２Ｈ’は第２壁と側面壁１０Ｓ１とで挟んだ空間領域である。また、傾斜壁も存在していない。フック装置２０”はフックそのものである。その後端部にベルト端部１６Ｅを取り付けているが、ベルト端部の厚い２重部が第２壁に干渉してフックを外すように作用することを防止すべく、フックの後部を第２壁から離隔する方向に曲げている。また、第２壁側には凹部１２ＢＫを設けており、該凹部に係合する寸法形状の凸部２０Ｋ”をフックの第２壁側の面に設けている。従って、運搬中の揺動によってフックが外れ難い。この凸部は、左右方向に長い凸条でもよく、短い凸部でもよく、また、その個数も凹部１２ＢＫに係合できれば適宜数でよい。更には、逆に、壁側が凸部であり、フック側が凹部でもよい。
【００２０】
フックに取り付けられたベルト端部１６Ｅの位置は、第２壁の下端１２ＢＥよりも係合孔１２ＫＨ寄りである。従って、運搬中ではベルトは第２壁部下端部によって鋭角的に折り返され、この折り返し部において幾分引っ掛るようになり、多少の揺動では、ベルトの本体部分（第２壁下端から端部１６Ｅの部分を除いた部分）が緩んでも、その緩みが瞬間的にはフックには及び難い。
異なる形態例において説明した各事項は、特に矛盾のない限り、他の形態例にも適用できる。
【００２１】
【発明の効果】
以上の説明から明らかなように本発明によれば、ベルト端部のフックをベルト装着部に係止させる場合にはワンタッチ式に可能であって、不用意に外れ難い装着構造を有する保冷箱の提供が可能になる。
【図面の簡単な説明】
【図１】図１は、本発明に係る保冷箱の斜視図である。
【図２】図２は、図１の要部拡大図である。
【図３】図３は、図１の矢視線Ｃ−Ｃによる拡大縦断面図である。
【図４】図４は、第２形態例を示す図である。
【図５】図５は、第３形態例を示す図である。
【符号の説明】
１０Ｓ１，１０Ｓ２        側面壁
１２                      ベルト装着部
１２ＡＣ                  鋭角交差部
１２ＣＫ                  凹部
１２Ｈ                    挿通孔
１２ＫＨ                  係合孔
１６                      ベルト
１６Ｅ                    ベルト端部
２０                      フック装置
２０Ｆ                    フック
２０ＦＫ                  フック係止部
２０ＦＭ                  凸部（筒状曲げ部）
【図１】
2004238031.tif 000003
【図２】
2004238031.tif 000004
【図３】
2004238031.tif 000005
【図４】
2004238031.tif 000006
【図５】
2004238031.tif 000007